(57)【要約】【課題】設置が容易な放射線画像撮影用カセッテを提供する。【解決手段】放射線を検出する検出媒体と、前記検出媒体を収納する扁平な筐体と、を備える放射線画像撮影用カセッテであって、放射線が入射する前記筐体の入射面とは反対側の該筐体の裏面には、手持ち部が設けられており、前記手持ち部は、該カセッテの重心に重なる位置、又は前記検出媒体の検出領域の中心に重なる位置にある。【選択図】図１
2010152133.tif 000002
【特許請求の範囲】
【請求項１】
放射線を検出する検出媒体と、該検出媒体を収納する扁平な筐体と、を備える放射線画像撮影用カセッテであって、
放射線が入射する前記筐体の入射面とは反対側の該筐体の裏面には、手持ち部が設けられており、
前記手持ち部は、該カセッテの重心に重なる位置にある放射線画像撮影用カセッテ。
【請求項２】
放射線を検出する検出媒体と、該検出媒体を収納する扁平な筐体と、を備える放射線画像撮影用カセッテであって、
放射線が入射する前記筐体の入射面とは反対側の該筐体の裏面には、手持ち部が設けられており、
前記手持ち部は、前記検出媒体の検出領域の中心に重なる位置にある放射線画像撮影用カセッテ。
【請求項３】
請求項１又は２記載の放射線画像撮影用カセッテであって、
前記手持ち部は、前記筐体の前記裏面に取り付けられるサポート部材を有し、
前記サポート部材は、前記筐体の前記裏面との間に、前記手持ち部を支持する支持手が該裏面に沿って挿し込まれる挿入空間を画成する放射線画像撮影用カセッテ。
【請求項４】
請求項３に記載の放射線画像撮影用カセッテであって、
前記サポート部材は、シートであり、
前記挿入空間への支持手の挿入方向に交差する前記シートの縁部が、前記筐体の前記裏面とは非接合である放射線画像撮影用カセッテ。
【請求項５】
請求項３に記載の放射線画像撮影用カセッテであって、
前記サポート部材は、少なくとも１つのバンドを含み、
前記各バンドは、前記挿入空間への支持手の挿入方向に交差している放射線画像撮影用カセッテ。
【請求項６】
請求項３〜５のいずれか一項に記載の放射線画像撮影用カセッテであって、
前記挿入空間への支持手の挿入方向が複数ある放射線画像撮影用カセッテ。
【請求項７】
請求項６に記載の放射線画像撮影用カセッテであって、
前記検出媒体の検出領域は、長方形状であり、
前記挿入空間への支持手の挿入方向は、前記検出媒体の検出領域の長辺と平行な第１の方向と、該検出領域の短辺と平行な第２の方向と、を少なくとも含む放射線画像撮影用カセッテ。
【請求項８】
請求項３〜７のいずれか一項に記載の放射線画像撮影用カセッテであって、
前記検出媒体の検出領域の中心と、該カセッテの重心とが、前記挿入空間への支持手のいずれか一の挿入方向に並んでいる放射線画像撮影用カセッテ。
【請求項９】
請求項３〜８のいずれか一項に記載の放射線画像撮影用カセッテであって、
前記サポート部材は、前記筐体の前記裏面に形成された凹部内に設けられている放射線画像撮影用カセッテ。
【請求項１０】
請求項３〜８のいずれか一項に記載の放射線画像撮影用カセッテであって、
前記サポート部材は、前記筐体の前記裏面に対して着脱される放射線画像撮影用カセッテ。
【請求項１１】
請求項３〜８のいずれか一項に記載の放射線画像撮影用カセッテであって、
前記筐体の前記裏面から前記サポート部材よりも突出している複数の支持脚を有する放射線画像撮影用カセッテ。
【請求項１２】
請求項３〜８のいずれか一項に記載の放射線画像撮影用カセッテであって、
前記サポート部材が、前記挿入空間を画成する第１の位置から前記筐体の前記裏面よりも前記入射面側に寄った第２の位置に付け替え可能である放射線画像撮影用カセッテ。
【請求項１３】
請求項３〜５のいずれか一項に記載の放射線画像撮影用カセッテであって、
前記サポート部材は、前記筐体に対し、前記手持ち部を通り前記筐体の前記裏面に垂直な軸を中心にして回転可能である放射線画像撮影用カセッテ。
【発明の詳細な説明】
【技術分野】
【０００１】
本発明は、放射線画像撮影用カセッテに関する。
【背景技術】
【０００２】
今日、医療分野では診断等の目的で、また工業分野では非破壊検査等の目的で、被写体の放射線画像撮影が行われており、放射線（Ｘ線，α線，β線，γ線，紫外線，電子線等）を被写体に照射して被写体を透過した放射線を検出し、その強度分布から被写体の放射線画像を得ている。
【０００３】
放射線を検出する検出媒体には、従来、放射線が照射されることによって蛍光を発する増感紙とこの蛍光に感光するフイルムとを組み合わせたものが用いられている。また、近年の医療機器や検査機器のデジタル化に伴い、蓄積性蛍光体や、半導体センサも検出媒体に用いられている。
【０００４】
蓄積性蛍光体は、放射線の強度分布を潜像として蓄積し、レーザ光等の励起光が照射されることによって潜像に対応した蛍光を発するものである。このような蓄積性蛍光体を備えるカセッテを用いた放射線画像撮影では、励起光で蓄積性蛍光体を走査し、その際に蓄積性蛍光体から発せられる蛍光を光電変換、及びＡ／Ｄ変換し、デジタル画像データを得ている。
【０００５】
また、半導体センサは、アモルファスシリコン（ａ−Ｓｉ）やアモルファスセレン（ａ−Ｓｅ）を用いた複数の光電変換素子が２次元の格子状に配列されており、ａ−Ｓｉを用いたものにあっては、放射線をシンチレータで可視光に変換し、この変換された可視光を光電変換し、また、ａ−Ｓｅを用いたものにあっては、放射線を直接に光電変換するものである。このような半導体センサを備える、所謂電子カセッテを用いた放射線画像撮影では、蓄積性蛍光体における励起光の照射を要せず、光電変換素子の出力をＡ／Ｄ変換し、デジタル画像データを得ている。
【０００６】
そして、柔軟な撮影を可能とするよう、これらの検出媒体を扁平で比較的軽量な筐体に収納して可搬性を持たせた、所謂放射線画像撮影用カセッテが知られている（例えば、特許文献１、２参照）。かかるカセッテは、撮影に応じて設置の仕方が変えられるが、医療現場では、典型的には、撮影台に横臥した被験者の撮影対象部位を持ち上げて、撮影対象部位と撮影台との間に挿し込むようにして撮影台上に設置される。そして、被験者の撮影対象部位を挟んでカセッテと対向する側から放射線が照射され、放射線画像が撮影される。
【０００７】
ここで、放射線画像撮影用カセッテは、検出媒体に蓄積性蛍光体を用いたものにあっては、３５×４３ｃｍのサイズのもので２ｋｇ程の重量があり、また、検出媒体に半導体センサを用いたものにあっては、半導体センサの駆動回路や、電源等が含まれるため、同サイズのもので４〜５ｋｇ程の重量がある。また、通常の放射線画像撮影に比べて高エネルギーで透過性の高い放射線を照射する、所謂リニアックグラフィでは、照射される放射線は、その透過性の高さ故に増感紙等の検出媒体を殆ど透過してしまう。そこで、リニアックグラフィに用いられるカセッテでは、放射線を金属増感板と呼ばれる金属板で受け、この金属板から発生する２次電子によって増感紙等の検出媒体に画像情報を生成するようにしている。かかる構成のリニアックグラフィ用のカセッテでは、上記の金属増感板を有するため、３５×４３ｃｍのサイズのもので４ｋｇ程の重量がある。そこで、特許文献１、２に記載されたカセッテは、その可搬性を高めるために、筐体の外縁に取手が設けられている。
【０００８】
しかしながら、上述した設置の仕方では、一方の手で被験者の撮影対象部位を持ち上げるため、必然的に片手で放射線画像撮影用カセッテを支持することになる。特許文献１、２に記載されるような筐体の外縁に取手が設けられたカセッテにおいて、この取手を把持してカセッテを設置しようとすると、カセッテを把持する手には、カセッテの重量に加えてモーメント荷重も作用し、比較的高い負荷がかかる。そのため、カセッテの設置は容易ではない。
【０００９】
尚、放射線画像撮影用カセッテを吊り下げて設置することが提案されている（例えば、特許文献３、４参照）。かかる設置の仕方によると、カセッテを吊り下げるための懸垂部材が必要となると共に、カセッテの可搬性や設置の仕方が制限される。
【００１０】
【特許文献１】特開２００４−２４６３８４号公報
【特許文献２】特開２００４−０７７６４１号公報
【特許文献３】特開２００４−３４７８４１号公報
【特許文献４】特開２００７−１１７４１２号公報
【発明の開示】
【発明が解決しようとする課題】
【００１１】
本発明は、上述した事情に鑑みなされたものであり、設置が容易な放射線画像撮影用カセッテを提供することを目的とする。
【課題を解決するための手段】
【００１２】
（１）  放射線を検出する検出媒体と、前記検出媒体を収納する扁平な筐体と、を備える放射線画像撮影用カセッテであって、放射線が入射する前記筐体の入射面とは反対側の該筐体の裏面には、手持ち部が設けられており、前記手持ち部は、該カセッテの重心に重なる位置にある放射線画像撮影用カセッテ。
（２）  放射線を検出する検出媒体と、前記検出媒体を収納する扁平な筐体と、を備える放射線画像撮影用カセッテであって、放射線が入射する前記筐体の入射面とは反対側の該筐体の裏面には、手持ち部が設けられており、前記手持ち部は、前記検出媒体の検出領域の中心に重なる位置にある放射線画像撮影用カセッテ。
【発明の効果】
【００１３】
手持ち部が放射線画像撮影用カセッテの重心に重なる位置にあれば、手持ち部を支持する支持手に作用するモーメント荷重を排除ないし軽減することができ、支持手にかかる負荷を軽減することができる。それにより、放射線画像撮影用カセッテの設置を容易とすることができる。かかる効果は、比較的重量の嵩む電子カセッテやリニアックグラフィ用のカセッテに特に有用である。
【００１４】
また、検出媒体は、通常、放射線撮影用カセッテの大部分の領域を占め、その検出領域の中心位置は、放射線撮影用カセッテの外縁よりも、その重心に近い位置にある。よって、手持ち部が検出媒体の検出領域の中心に重なる位置にあれば、手持ち部を支持する支持手に作用するモーメント荷重を軽減することができ、支持手にかかる負荷を軽減することができる。それにより、放射線画像撮影用カセッテの設置を容易とすることができる。かかる効果は、比較的重量の嵩む電子カセッテやリニアックグラフィ用のカセッテに特に有用である。
【００１５】
さらに、手持ち部が検出媒体の検出領域の中心に重なる位置にあれば、被検体の撮影対象部位の中心と検出領域の中心とを感覚的に合わせ易くなる。それにより、放射線画像撮影用カセッテを適切に設置することができる。
【発明を実施するための最良の形態】
【００１６】
以下、本発明の好適な実施形態について、図面を参照して説明する。
【００１７】
図１は、本発明の好適な実施形態の一例を説明するための、放射線画像撮影装置の概略構成を示す模式図である。
【００１８】
図１に示す放射線画像撮影装置１は、被験者が横臥する撮影台２と、撮影台２の上方に配置された放射線源３と、放射線画像表示装置４と、放射線画像撮影用カセッテＣ１と、を備えている。
【００１９】
カセッテＣ１は、被験者と撮影台２との間に挿し込まれて撮影台２上に設置されている。放射線源３は、撮影条件に従った強度で被験者に向けて放射線を射出する。放射線源３から射出された放射線は、被験者を透過してカセッテＣ１に入射し、カセッテＣ１の放射線検出媒体によって検出される。
【００２０】
カセッテＣ１の放射線検出媒体１１には、上述した半導体センサが用いられており、この半導体センサ１１は、２次元の格子状に配列された複数の光電変換素子を含んでいる。各光電変換素子において、そこに入射する放射線又はシンチレータ等で変換された可視光の強度に応じた電荷が生成される。各光電変換素子で生成された電荷は、半導体センサ１１の駆動回路によって順次読み出され、Ａ／Ｄ変換される。そして、Ａ／Ｄ変換によって生成されるデジタルデータに、カセッテＣ１に搭載された画像処理回路によって様々な処理が施され、デジタル画像データが生成される。
【００２１】
カセッテＣ１は、有線又は無線のネットワーク５によって放射線画像表示装置４に接続されており、カセッテＣ１で生成されたデジタル画像データは、このネットワーク５を介して放射線画像表示装置４に転送される。そして、放射線画像表示装置４のモニタ等の表示部４ａに、デジタル画像データに応じた放射線画像が即座に表示される。
【００２２】
尚、上述の例では、カセッテＣ１の放射線検出媒体に半導体センサが用いられているものとして説明したが、半導体センサに替えて、増感紙及びフイルム、又は蓄積性蛍光体を用いることもできる。検出媒体に蓄積性蛍光体を用いたカセッテでは、放射線検出から画像表示までの間に、カセッテを回収し、その蓄積性蛍光体を励起光によって走査する処理が介在する。また、検出媒体に増感紙及びフイルムを用いたカセッテでは、放射線検出から画像表示までの間に、カセッテを回収し、そのフイルムを現像する処理が介在し、また、現像されたフイルムは、一般にはシャーカステンにセットされて読影（画像表示）される。
【００２３】
図２及び図３は、図１に示す放射線画像撮影用カセッテＣ１の斜視図である。
【００２４】
図２に示すように、放射線画像撮影用カセッテＣ１は、放射線を検出する検出媒体としての半導体センサ１１と、回路基板１２と、半導体センサ１１や回路基板１２に電力を供給するバッテリ１３と、これら半導体センサ１１、回路基板１２、及びバッテリ１３を収納する筐体１０と、を備えている。回路基板１２には、上記の駆動回路、Ａ／Ｄ変換回路、画像処理回路、及び生成されたデジタル画像データを放射線画像表示装置４に転送するＩ／Ｏ回路、並びにこれら回路の動作を制御する制御回路、等が実装されている。
【００２５】
筐体１０は扁平であり、図示の例では、平面視において略長方形状に成形されている。筐体１０に収納される半導体センサ１１もまた扁平であって、筐体１０と同じく、平面視において略長方形状に成形されている。半導体センサ１１は、筐体１０の内容積の大部分を占めており、回路基板１２及びバッテリ１３は、半導体センサ１１の一の短辺に沿って、筐体１０内のその余のスペースに配設されている。
【００２６】
放射線源３から射出された放射線は、筐体１０を透過して半導体センサ１１の検出領域（有感領域）Ａに入射する。そこで、半導体センサ１１の検出領域Ａを覆う筐体１０の入射面１０ａは、例えばアルミやカーボンなどの放射線透過率が比較的高い材料で形成されている。筐体１０のその他の部位は適宜な材料で形成され、例えば入射面と同じアルミやカーボンなどの材料で形成されてもよいし、その他の金属或いは樹脂などの材料で形成されてもよい。
【００２７】
図３に示すように、入射面１０ａとは反対側の筐体１０の裏面１０ｂには、手持ち部２０が設けられている。手持ち部２０は、カセッテＣ１を設置する際に、放射線画像撮影を行う技師の一方の手（支持手）で支持される部位であって、その支持手で覆われる領域を包含する。この手持ち部２０は、カセッテＣ１の重心Ｇに重なる位置に設けられている。
【００２８】
手持ち部２０は滑り止め構造を有しており、図示の例では、手持ち部２０は、筐体１０の裏面１０ｂに形成された凹部１０ｃで構成されている。この凹部１０ｃは、支持手が嵌り込む大きさに形成され、平面視において略円形状に成形されている。この凹部１０ｃに支持手が嵌ることによって、カセッテＣ１が多少傾いたとしても、支持手が凹部１０ｃの縁に引っ掛かり、カセッテＣ１が滑り落ちることが防止される。
【００２９】
尚、手持ち部２０を構成する凹部は、略円形状に限らず、例えば略矩形状あるいは略手形状であってもよい。また、支持手が嵌り込む凹部に替えて、手持ち部２０の表面粗さを裏面１０ｂの他の部位に比べて粗くするなどして、手持ち部２０の摩擦を高めることによっても、同様にカセッテＣ１が滑り落ちることを防止することができる。
【００３０】
図４は、放射線画像撮影用カセッテＣ１の設置の仕方の一例を説明する模式図である。図４に示すように、カセッテＣ１は、手持ち部２０を技師の一方の手（支持手）で支持される。撮影台２に横臥した被験者の撮影対象部位が技師の他方の手で持ち上げられ、カセッテＣ１は、持ち上げられた撮影対象部位と撮影台２との間に略水平に挿し込まれて撮影台２上に設置される。
【００３１】
ここで、カセッテＣ１の手持ち部２０は、カセッテＣ１の重心Ｇに重なる位置に設けられているので、手持ち部２０を支持する支持手にかかる負荷の多くは、重力方向に作用するカセッテＣ１の重量Ｗとなる。即ち、手持ち部がカセッテＣ１の重心から離間した外縁部にある場合に作用するモーメント荷重Ｍは、排除ないし大幅に軽減される。それにより、手持ち部２０を支持する支持手にかかる負荷が軽減され、カセッテＣ１の設置が容易となる。
【００３２】
図５は、上述した放射線画像撮影用カセッテＣ１の変形例を示す斜視図である。尚、上述したカセッテＣ１と共通する要素には、同一符号を付することによって、説明を省略ないし簡略する。
【００３３】
図５に示す変形例の放射線画像撮影用カセッテＣ２では、手持ち部２０が、筐体１０の裏面１０ｂにおいて半導体センサ１１の検出領域Ａ（図２参照）の中心ＡＣに重なる位置に設けられている。
【００３４】
半導体センサ１１は、上述の通り、筐体１０の内容積の大部分を占めており、その検出領域Ａの中心ＡＣは、カセッテＣ２の外縁よりも、その重心Ｇに近い位置にある。手持ち部２０が検出領域Ａの中心ＡＣに重なる位置にあることによって、支持手に作用するモーメント荷重が軽減される。それにより、手持ち部２０を支持する支持手にかかる負荷が軽減され、カセッテＣ２の設置が容易となる。
【００３５】
そして、手持ち部２０が検出領域Ａの中心ＡＣに重なる位置にあることによって、被験者の撮影対象部位の中心と検出領域Ａの中心ＡＣとを感覚的に合わせ易くなる。それにより、カセッテＣ２を適切に設置することができる。
【００３６】
図６は、上述した放射線画像撮影用カセッテＣ１の他の変形例を示す斜視図である。尚、上述したカセッテＣ１と共通する要素には、同一符号を付することによって、説明を省略ないし簡略する。
【００３７】
図６に示す変形例の放射線画像撮影用カセッテＣ３は、筐体１０の裏面１０ｂにおいてカセッテＣ２の重心Ｇに重なる位置に、手持ち部１２０が設けられている。この手持ち部１２０は、筐体１０の裏面１０ｂに取り付けられるサポート部材としての可撓なシート１２１を有している。
【００３８】
シート１２１は、略半円形状に成形されており、カセッテＣ３の重心Ｇを覆いその直線状の縁部１２１ｂが所定の方向に直交するように裏面１０ｂ上に配設されている。そして、シート１２１は、中央部に若干の弛みをもたせて、その円弧状の縁部１２１ａを例えば接着剤で裏面１０ｂに接合され、取り付けられている。他方、シート１２１の直線状の縁部１２１ｂは裏面１０ｂに接合されておらず、また、シート１２１の中央部も裏面１０ｂに接合されていない。そこで、シート１２１と裏面１０ｂとの間には、直線状の縁部１２１ｂの下を潜り、裏面１０ｂに沿って支持手が挿し込まれる袋状の挿入空間が画成される。手持ち部１２０は、シート１２１により規定され、即ち、手持ち部１２０は、シート１２１及びこのシート１２１により画成される上記の挿入空間に挿し込まれた支持手によって覆われる領域であり、シート１２１の直線状の縁部１２１ｂが交差する上記の所定の方向とは、上記の挿入空間への支持手の挿入方向である。
【００３９】
尚、放射線画像撮影用カセッテはアルコール等で消毒され、また繰り返し使用されることから、シート１２１の材料としては、アルコール等の消毒薬に対する耐薬品性、さらには耐久性を考慮して、例えば熱可塑性ポリエーテルエラストマー、ケプラー繊維、アラミド繊維、等を好適に用いることができる。
【００４０】
このように構成されたカセッテＣ３によれば、手持ち部１２０が、カセッテＣ３の重心Ｇに重なる位置に設けられているので、手持ち部１２０を支持する支持手にかかる負荷が軽減され、カセッテＣ３の設置が容易となる。
【００４１】
そして、カセッテＣ３を設置する際には、手持ち部１２０を支持する支持手は、シート１２１と筐体１０の裏面１０ｂとの間の挿入空間に挿し込まれ、シート１２１によってサポートされる。それにより、設置の際に、カセッテＣ３が滑り落ちるがより確実に防止される。
【００４２】
ここで、シート１２１は可撓であり、支持手が上記の挿入空間から抜去され、カセッテＣ３が撮影台２上に設置された後には、シート１２１は押し潰されて平坦となる。シート１２１は、筐体１０の裏面１０ｂと撮影台２との間に挟まれるが、シート１２１は薄手であってその厚みは無視し得る。よって、裏面１０ｂが撮影台２から浮くことはなく、カセッテＣ３は撮影台２上で安定する。
【００４３】
尚、上述の例では、手持ち部１２０が、カセッテＣ３の重心Ｇに重なる位置に設けられているものとして説明したが、カセッテＣ３の半導体センサ１１の検出領域Ａの中心ＡＣに重なる位置に設けられていてもよい。その場合にも、手持ち部１２０を支持する支持手にかかる負荷が軽減され、カセッテＣ３の設置が容易となり、また、支持手がシート１２１によってサポートされ、設置の際にカセッテＣ３が滑り落ちることが防止される。
【００４４】
図７は、上述した放射線画像撮影用カセッテＣ３の変形例を示す斜視図であり、図８は、図７におけるVIII−VIII線断面図である。尚、上述したカセッテＣ３と共通する要素には、同一符号を付することによって、説明を省略ないし簡略する。
【００４５】
図７に示す変形例の放射線画像撮影用カセッテＣ４においては、手持ち部１２０のシート１２１が、ハトメ等の締結具１２２を用いて筐体１０の裏面１０ｂに取り付けられている。具体的には、円弧状の縁部１２１ａに沿って適当な間隔をおいて複数の締結具１２２が配設され、これらの締結具１２２によって縁部１２１ａを裏面１０ｂに接合され、取り付けられている。図示の例では、縁部１２１ａの両端及び中央の３箇所に締結具１２２が配設されている。複数の締結具１２２による接合は、接着剤による接合に比べて、接合強度を得られ易い。
【００４６】
ところで、シート１２１を筐体１０の裏面１０ｂとの間で挟持する締結具１２２の頭部１２２ａは、一般にシート１２１に比べて厚い。そこで、図８に示すように、各締結具１２２の配設箇所に対応した裏面１０ｂの部位には、締結具１２２の頭部１２２ａを収容する凹部１４が設けられている。
【００４７】
各締結具１２２の頭部１２２ａが対応する凹部１４に収容されていることにより、カセッテＣ４が撮影台２上に設置された際に、頭部１２２ａが撮影台２に当接して筐体１０の裏面１０ｂが撮影台２から浮くことはなく、カセッテＣ４は撮影台２上で安定する。
【００４８】
図９は、上述した放射線画像撮影用カセッテＣ４の変形例を示す斜視図である。尚、上述したカセッテＣ４と共通する要素には、同一符号を付することによって、説明を省略ないし簡略する。
【００４９】
図９に示す放射線画像撮影用カセッテＣ５においては、手持ち部１２０のシート１２１は、弛みなく、複数の締結具１２２によって円弧状の縁部１２１ａを裏面１０ｂに接合される。各締結具１２２が貫通する円弧状の縁部１２１ａの部位には、径方向に延びる長孔１２１ｃが穿設されており、円弧状の縁部１２１ａは、長孔１２１ｃの周縁部を締結具１２２の頭部１２２ａと裏面１０ｂとの間に挟まれて、裏面１０ｂに接合されている。
【００５０】
図９（Ａ）に示すように、シート１２１が弛み無く広がっている状態で、締結具１２２は、長孔１２１ｃの内径側端部に位置している。そして、シート１２１の各長孔１２１ｃの周縁部と、これを挟む締結具１２２の頭部１２２ａ又は筐体１０の裏面１０ｂとの間には若干の隙間が設けられている。よって、各長孔１２１ｃの周縁部は、締結具１２２に対して、長孔１２１ｃの延在方向にずれることができる。そこで、図９（Ｂ）に示すように、シート１２１は、円弧状の縁部１２１ａを内径側に寄せて中央部が膨出するように変形可能である。シート１２１がそのように変形されると、シート１２１の膨出した中央部と裏面１０ｂとの間に、直線状の縁部１２１ｂの下を潜り、裏面１０ｂに沿って支持手が挿し込まれる挿入空間が画成される。
【００５１】
以上のように構成されたカセッテＣ５によれば、カセッテＣ５が撮影台２上に設置されてシート１２１が押し潰される際に、シート１２１は、上記の中央部が膨出するように変形した状態から弛み無く張られた状態に戻る。即ち、シート１２１は、折り重なることなく平坦となるので、カセッテＣ５は撮影台２上で、より安定する。
【００５２】
図１０は、上述した放射線撮影用カセッテＣ３の他の変形例を示す斜視図である。尚、上述したカセッテＣ３と共通する要素には、同一符号を付することにより、説明を省略ないし簡略する。
【００５３】
図１０に示す変形例の放射線画像撮影用カセッテＣ６は、筐体１０の裏面１０ｂにおいてカセッテＣ６の半導体センサ１１の検出領域Ａ（図２参照）の中心ＡＣに重なる位置に、手持ち部２２０が設けられている。この手持ち部２２０は、筐体１０の裏面１０ｂに取り付けられるサポート部材としての可撓なシート２２１を有している。
【００５４】
シート２２１は、略矩形状に成形されており、その各辺が略長方形状の検出領域Ａの各辺と平行となるように裏面１０ｂ上に配設されている。そして、シート２２１は、その四隅のみが裏面１０ｂに接合されており、シート２２１と裏面１０ｂとの間には、裏面１０ｂに沿って支持手が挿し込まれる挿入空間が画成されている。
【００５５】
上記の挿入空間へは、シート２２１のいずれかの縁部２２１ａの下を潜って支持手が挿し込まれる。シート２２１は、その四隅が筐体１０の裏面１０ｂに接合されているのみであり、４つの縁部２２１ａはいずれも裏面１０ｂに接合されていないので、上記の挿入空間への支持手の挿入口が複数ある。特に、シート２２１の各辺は、略長方形状の検出領域Ａの各辺と平行となるように裏面１０ｂ上に配設されているので、上記の挿入空間への支持手の挿入方向は、検出領域Ａの長辺と平行な方向Ｘ、及び検出領域Ａの短辺と平行な方向Ｙとなる。
【００５６】
さらに、カセッテＣ６においては、例えば回路基板１２やバッテリ１３が半導体センサ１１に対して適宜な位置に設置されることによって、重心Ｇと、検出領域Ａの中心ＡＣとが、上記の挿入空間への支持手の一の挿入方向に並んでいる。図示の例で、回路基板１２及びバッテリ１３が半導体センサ１１の一の短辺に沿って配設されており、重心Ｇと、検出領域Ａの中心ＡＣとが、検出領域Ａの長辺と平行な方向Ｘに並んでいる。
【００５７】
図１１は、図１０に示す放射線画像撮影用カセッテＣ６の設置の仕方の一例を説明する模式図であり、同図（Ａ）は、被験者の大腿部の放射線画像撮影を行う際のカセッテＣ６の設置の仕方を示し、同図（Ｂ）は、被験者の胸部の放射線画像撮影を行う際のカセッテＣ６の設置の仕方を示している。尚、いずれの場合も、カセッテＣ６は、撮影台２に横臥した被験者の側方から、つまりは被験者の体軸ＣＬに略直交する方向から、被験者の撮影対象部位と撮影台２との間に略水平に挿し込まれて撮影台２上に設置されるものとする。
【００５８】
図１１（Ａ）に示すように、大腿部の撮影を行う場合に、通常、カセッテＣ６は、その検出領域Ａの長辺が大腿部の長手方向と略平行となる姿勢に、つまりは体軸ＣＬと略平行となる姿勢に設置されるので、そのような姿勢でカセッテＣ６を支持しておくと都合がよい。そこで、被験者の側方からカセッテＣ６を挿し込むに際し、カセッテＣ６は、検出領域Ａの短辺に平行な方向Ｙに上記の挿入空間に支持手を挿し込まれて支持される。
【００５９】
また、図１１（Ｂ）に示すように、胸部の撮影を行う場合に、通常、カセッテＣ６は、その検出領域Ａの短辺が体軸ＣＬと略平行となる姿勢に設置されるので、そのような姿勢でカセッテＣ６を支持しておくと都合がよい。そこで、被験者の側方からカセッテＣ６を挿し込むに際して、カセッテＣ６は、検出領域Ａの長辺に平行な方向Ｘに上記の挿入空間に支持手を挿し込まれて支持される。
【００６０】
このように、シート２２１と筐体１０の裏面１０ｂとの間の挿入空間への支持手の挿入方向が複数あれば、カセッテＣ６を設置する際に、撮影対象部位に応じてカセッテＣ６の姿勢を種々に変えて、カセッテＣ６を支持することができる。それにより、カセッテＣ６の設置が容易となる。特に、カセッテＣ６の姿勢は、典型的には、体軸ＣＬに対して検出領域Ａの長辺又は短辺のいずれかが平行とされるので、上記の挿入空間への支持手の挿入方向に、検出領域Ａの長辺と平行な方向、及び検出領域Ａの短辺と平行な方向を含むことが好ましい。
【００６１】
また、カセッテＣ６では、上述のとおり、重心Ｇと、検出領域Ａの中心ＡＣとが、検出領域Ａの長辺と平行な方向Ｘに並んでいる。そこで、図１２に示すように、検出領域Ａの長辺と平行な方向Ｘに支持手を上記の挿入空間に挿し込んでカセッテＣ６を支持した際には、手持ち部２２０が重なる検出領域Ａの中心ＡＣは支持手の掌で、そして、カセッテＣ６の重心Ｇは支持手の腕で支持することができる。それにより、カセッテＣ６を、より安定して支持することができ、その設置が容易となる。
【００６２】
図１３は、上述した放射線画像撮影用カセッテＣ１の他の変形例を示す斜視図である。尚、上述したカセッテＣ１と共通する要素には、同一符号を付することによって、説明を省略ないし簡略する。
【００６３】
図１３に示す変形例の放射線画像撮影用カセッテＣ７は、筐体１０の裏面１０ｂにおいてカセッテＣ７の重心Ｇに重なる位置に、手持ち部３２０が設けられている。この手持ち部３２０は、筐体１０の裏面１０ｂに取り付けられるサポート部材としての可撓で薄手なバンド３２１を有している。
【００６４】
バンド３２１は、その長手方向を所定の方向に略直交させてカセッテＣ７の重心Ｇを跨ぐように裏面１０ｂ上に配設され、その両端部を、例えば接着剤で裏面１０ｂに接合されている。バンド３２１と筐体１０の裏面１０ｂとの間には、裏面１０ｂに沿って支持手が挿し込まれる挿入空間が画成されている。手持ち部３２０は、バンド３２１により規定され、即ち、手持ち部３２０は、バンド３２１により画成される上記の挿入空間に挿し込まれた支持手によって覆われる領域であり、また、バンド３２１の長手方向が交差する上記の所定の方向とは、上記の挿入空間への支持手の挿入方向である。
【００６５】
放射線画像撮影用カセッテはアルコール等で消毒され、また繰り返し使用されることから、バンド３２１の材料としては、アルコール等の消毒薬に対する耐薬品性、さらには耐久性を考慮して、例えば熱可塑性ポリエーテルエラストマー、ケプラー繊維、アラミド繊維、等を好適に用いることができる。
【００６６】
このように構成されたカセッテＣ７によれば、手持ち部３２０が、カセッテＣ７の重心Ｇに重なる位置に設けられているので、手持ち部３２０を支持する支持手にかかる負荷が軽減され、カセッテＣ７の設置が容易となる。
【００６７】
さらに、カセッテＣ７を設置する際には、手持ち部３２０を支持する支持手は、バンド３２１と筐体１０の裏面１０ｂとの間の挿入空間に挿し込まれ、バンド３２１によってサポートされる。それにより、設置の際に、カセッテＣ７が滑り落ちることを、より確実に防止することができる。
【００６８】
ここで、バンド３２１は可撓であり、支持手が上記の挿入空間から抜去され、カセッテＣ７が撮影台２上に設置された後には、バンド３２１は押し潰されて平坦となる。バンド３２１は、筐体１０の裏面１０ｂと撮影台２との間に挟まれるが、バンド３２１は薄手であってその厚みは無視し得る。よって、裏面１０ｂが撮影台２から浮くことはなく、カセッテＣ７は撮影台２上で安定する。
【００６９】
尚、上述の例では、手持ち部３２０が、カセッテＣ７の重心Ｇに重なる位置に設けられているものとして説明したが、カセッテＣ７の半導体センサ１１の検出領域Ａの中心ＡＣに重なる位置に設けられていてもよい。その場合にも、手持ち部３２０を支持する支持手にかかる負荷が軽減され、カセッテＣ７の設置が容易となり、また、支持手がバンド３２１によってサポートされ、設置の際にカセッテＣ７が滑り落ちることが防止される。
【００７０】
また、上述の例では、接着剤を用いてバンド３２１の両端部を筐体１０の裏面１０ｂに接合するものとして説明したが、接着剤に替えて、上述のカセッテＣ４やカセッテＣ５におけるシート１２１と裏面１０ｂとの接合と同様に、ハトメ等の締結具を用いて接合してもよい。その場合には、各締結具の配設箇所に対応した裏面１０ｂの部位に、締結具の頭部を収容する凹部を設け、撮影台２上でのカセッテＣ７の安定を図る。
【００７１】
図１４は、上述した放射線撮影用カセッテＣ７の変形例を示す斜視図である。尚、上述したカセッテＣ７と共通する要素には、同一符号を付することにより、説明を省略ないし簡略する。
【００７２】
図１４に示す変形例の放射線画像撮影用カセッテＣ８において、筐体１０の裏面１０ｂにおいてカセッテＣ８の放射線検出媒体である半導体センサ１１の検出領域Ａ（図２参照）の中心ＡＣに重なる位置に、手持ち部４２０が設けられている。手持ち部４２０は、筐体１０の裏面１０ｂに取り付けられるサポート部材としての可撓で薄手な２つのバンド３２１を有している。
【００７３】
各バンド３２１は、互いに略直交し、且つ、その長手方向が、略長方形状の検出領域Ａの長辺と平行な方向及び短辺と平行な方向にそれぞれ略４５°の角度で交差するように裏面１０ｂ上に配設されている。そして、各バンド３２１は、その両端部が裏面１０ｂに接合されおり、両バンド３２１と裏面１０ｂとの間には、裏面１０ｂに沿って支持手が挿し込まれる挿入空間が画成されている。
【００７４】
上記の挿入空間へは、両バンド３２１の隣り合う端部の間を通って支持手が挿し込まれる。よって、上記の挿入空間への支持手の挿入口が複数ある。特に、各バンド３２１は、互いに略直交し、且つ、その長手方向が、略長方形状の検出領域Ａの長辺と平行な方向及び短辺と平行な方向にそれぞれ略４５°の角度で交差するように裏面１０ｂ上に配設されているので、上記の挿入空間への支持手の挿入方向は、検出領域Ａの長辺と平行な方向Ｘ、及び検出領域Ａの短辺と平行な方向Ｙとなる。
【００７５】
さらに、カセッテＣ８においては、例えば回路基板１２やバッテリ１３が半導体センサ１１に対して適宜な位置に設置されることによって、重心Ｇと、検出領域Ａの中心ＡＣとが、上記の挿入空間への支持手の一の挿入方向に並んでいる。図示の例で、回路基板１２及びバッテリ１３が半導体センサ１１の一の短辺に沿って配設されており、重心Ｇと、検出領域Ａの中心ＡＣとが、検出領域Ａの長辺と平行な方向Ｘに並んでいる。
【００７６】
このように、両バンド３２１と筐体１０の裏面１０ｂとの間の挿入空間への支持手の挿入方向が複数あれば、上述のカセッテＣ６と同様に、カセッテＣ８を設置する際に、撮影対象部位に応じてカセッテＣ８の姿勢を種々に変えて、カセッテＣ８を支持することができる。それにより、カセッテＣ８の設置が容易となる。特に、カセッテＣ８の姿勢は、典型的には、撮影台２に横臥する被験者の体軸に対して検出領域Ａの長辺又は短辺のいずれかが平行とされるので、上記の挿入空間への支持手の挿入方向に、検出領域Ａの長辺と平行な方向Ｘ、及び検出領域Ａの短辺と平行な方向Ｙを含むことが好ましい。
【００７７】
また、上述のとおり、カセッテＣ８では、重心Ｇと、検出領域Ａの中心ＡＣとが、検出領域Ａの長辺と平行な方向Ｘに並んでいる。そこで、検出領域Ａの長辺と平行な方向Ｘに支持手を上記の挿入空間に挿し込んでカセッテＣ８を支持した際には、手持ち部４２０が重なる検出領域Ａの中心ＡＣは支持手の掌で、そして、カセッテＣ８の重心Ｇは支持手の腕で支持することができる。それにより、カセッテＣ８を、より安定して支持することができ、その設置が容易となる。
【００７８】
図１５は、上述した放射線撮影用カセッテＣ７の変形例を示す斜視図であり、図１６は、図１５におけるXVI−XVI線断面図である。尚、上述したカセッテＣ７と共通する要素には、同一符号を付することにより、説明を省略ないし簡略する。
【００７９】
図１５及び図１６に示す変形例の放射線撮影用カセッテＣ９は、筐体１０の裏面１０ｂにおいてカセッテＣ９の重心Ｇに重なる位置に、手持ち部５２０が設けられている。この手持ち部５２０は、技師の支持手が嵌り込む大きさで筐体１０の裏面１０ｂに形成された凹部１０ｃと、裏面１０ｂにおける凹部１０ｃに取り付けられるサポート部材としてのバンド５２１とで構成されている。
【００８０】
バンド５２１は、その長手方向を所定の方向に略直交させてカセッテＣ９の重心Ｇを跨ぐように裏面１０ｂにおける凹部１０ｃに配設され、その両端部を凹部１０ｃの底に接合されている。バンド５２１と凹部１０ｃの底との間には、裏面１０ｂに沿って支持手が挿し込まれる挿入空間が画成される。
【００８１】
バンド５２１は、アルコール等の消毒薬に対する耐薬品性、さらには耐久性を考慮して、例えば上述の熱可塑性ポリエーテルエラストマー、ケプラー繊維、アラミド繊維、等で形成され、比較的厚手に成形されている。尚、樹脂等で形成された剛性のより高いものも用いることができる。このバンド５２１は、筐体１０の裏面１０ｂよりも突出しないよう、裏面１０ｂにおける凹部１０ｃ内に収容されている。
【００８２】
このように構成されたカセッテＣ９によれば、バンド５２１が裏面１０ｂにおける凹部１０ｃ内に収容されているので、カセッテＣ９が撮影台２上に設置された際に、バンド５２１が撮影台２に当接して筐体１０の裏面１０ｂが撮影台２から浮くことはなく、カセッテＣ９は撮影台２上で安定する。そこで、バンド５２１は、厚みを無視し得るような薄手で可撓なものに限られず、比較的厚手なものも用いることができる。それにより、手持ち部５２０を支持する支持手のサポートを、より確実なものとすることができる。
【００８３】
図１７は、上述した放射線撮影用カセッテＣ７の変形例を示す斜視図である。尚、上述したカセッテＣ７と共通する要素には、同一符号を付することにより、説明を省略ないし簡略する。
【００８４】
図１７に示す変形例の放射線撮影用カセッテＣ１０は、筐体１０の裏面１０ｂにおいてカセッテＣ１０の重心Ｇに重なる位置に、手持ち部６２０が設けられている。この手持ち部６２０は、筐体１０の裏面１０ｂに取り付けられるサポート部材としてのバンド６２１を有している。
【００８５】
バンド６２１は、カセッテＣ１０の重心Ｇを所定の方向に跨ぐように裏面１０ｂ上に配設され、その両端部を裏面１０ｂに接合されている。そして、バンド６２１と裏面１０ｂとの間には、裏面１０ｂに沿って支持手が挿し込まれる挿入空間が画成されている。
【００８６】
バンド６２１の両端部には、それぞれ吸盤６２２が設けられており、筐体１０の裏面１０ｂは、吸盤６２２が吸着可能な平滑な面とされている。バンド６２１の両端部は、吸盤６２２により裏面１０ｂに接合され、よって、バンド６２１は、裏面１０ｂに対して着脱可能である。尚、裏面１０ｂが磁性体で形成されている場合には、吸盤６２２に替えて磁石を用いてもよい。
【００８７】
このように構成されたカセッテＣ１０によれば、カセッテＣ１０が撮影台２上に設置された際には、バンド６２１を筐体１０の裏面１０ｂより取り外すことができる。バンド６２１が取り外されることで、筐体１０の裏面１０ｂと撮影台２との間にバンド６２１が挟まれることはなく、カセッテＣ１０は撮影台２上で安定する。そこで、バンド６２１は、厚みを無視し得るような薄手で可撓なものに限られず、比較的厚手なものも用いることができる。それにより、手持ち部６２０を支持する支持手のサポートを、より確実なものとすることができる。
【００８８】
図１８は、上述した放射線撮影用カセッテＣ７の変形例を示す斜視図であり、図１９は図１８の放射線撮影用カセッテの側面図である。尚、上述したカセッテＣ７と共通する要素には、同一符号を付することにより、説明を省略ないし簡略する。
【００８９】
図１８及び図１９に示す変形例の放射線撮影用カセッテＣ１１は、筐体１０の裏面１０ｂにおいてカセッテＣ１１の重心Ｇに重なる位置に、手持ち部７２０が設けられている。手持ち部７２０は、筐体１０の裏面１０ｂに取り付けられるサポート部材としてのバンド７２１を有している。
【００９０】
バンド７２１は、カセッテＣ１１の重心Ｇを所定の方向に跨ぐように裏面１０ｂ上に配設され、その両端部を裏面１０ｂに接合されている。そして、バンド７２１と裏面１０ｂとの間には、裏面１０ｂに沿って支持手が挿し込まれる挿入空間が画成されている。
【００９１】
そして、筐体１０の裏面１０ｂの四隅には、支持脚１５がそれぞれ設けられている。これらの支持脚１５は、バンド７２１よりも裏面１０ｂから突出している。
【００９２】
このように構成されたカセッテＣ１１によれば、カセッテＣ１１が撮影台２上に設置された際には、カセッテＣ１１は、４つの支持脚１５で撮影台２に接触し、撮影台２上で安定する。バンド７２１は、筐体１０の裏面１０ｂと撮影台２との間に収納される。そこで、バンド７２１は、厚みを無視し得るような薄手で可撓なものに限られず、比較的厚手なものも用いることができる。それにより、手持ち部７２０を支持する支持手のサポートを、より確実なものとすることができる。
【００９３】
図２０は、上述した放射線撮影用カセッテＣ７の変形例を示す斜視図である。尚、上述したカセッテＣ７と共通する要素には、同一符号を付することにより、説明を省略ないし簡略する。
【００９４】
図２０に示す変形例の放射線撮影用カセッテＣ１２は、筐体１０の裏面１０ｂにおいてカセッテＣ１２の重心Ｇに重なる位置に、手持ち部８２０が設けられている。手持ち部８２０は、筐体１０の裏面１０ｂに取り付けられるサポート部材としてのバンド８２１を有している。
【００９５】
図２０（Ａ）に示すように、バンド８２１は、カセッテＣ１２の重心Ｇを所定の方向に跨ぐように裏面１０ｂ上に配設され、その両端部を裏面１０ｂに接合されている。そして、バンド８２１と裏面１０ｂとの間には、裏面１０ｂに沿って支持手が挿し込まれる挿入空間が画成されている。
【００９６】
バンド８２１の一方の端部８２１ａは、ハトメ等の締結具１２２の頭部１２２ａと裏面１０ｂとの間で挟まれて、この裏面１０ｂに接合されている。この端部８２１ａと締結具１２２の頭部１２２ａ又は裏面１０ｂとの間には僅かな隙間が置かれており、端部８２１ａは、締結具１２２を中心に回動可能である。尚、締結具１２２の配設箇所に対応した裏面１０ｂの部位には、締結具１２２の頭部１２２ａを収容する凹部１４が設けられている。
【００９７】
バンド８２１の他方の端部８２１ｂは、スナップボタン等の留め具８２２により裏面１０ｂに着脱可能に接合されている。バンド８２１が上記のとおりカセッテＣ１１の重心Ｇを所定の方向に跨ぐように裏面１０ｂ上に配設された際に、この端部８２１ｂが配置される裏面１０ｂの部位には、留め具８２２を着脱可能に係止する第１の係止部８２３ａが設けられている。尚、第１の係止部８２３ａの配設箇所に対応した裏面１０ｂの部位には、この第１の係止部８２３ａを収容する凹部１４が設けられている。
【００９８】
手持ち部８２０の側部には、締結具１２２の頭部１２２ａを収容する凹部１４より延びた収容溝１６が形成されている。収容溝１６の深さ及び長さ寸法は、それぞれバンド８２１の厚み及び長さ寸法以上に形成されている。そして、凹部１４とは反対側の収容溝１６の端部には、留め具８２２を着脱可能に係止する第２の係止部８２３ｂが設けられている。
【００９９】
図２０（Ａ）は、留め具８２２を第１の係止部８２３ａに係止され、筐体１０の裏面１０ｂとの間に挿入空間を画成する第１の位置にバンド８２１がある状態を示す。
【０１００】
図２０（Ｂ）は、同図（Ａ）に示す状態から、留め具８２２と第１の係止部８２３ａとの係合が解除され、バンド８２１が、締結具１２２を中心に回動されて収容溝１６に収容された状態を示す。収容溝１６に収容されたバンド８２１は、収容溝１６に設けられた第２の係止部８２３ｂに留め具８２２を係止されて収容溝１６内に保持される。即ち、バンド８２１は、上記の挿入空間を画成する第１の位置から、筐体１０の裏面１０ｂよりも入射面１０ａ側に寄った第２の位置に付け替えられる。
【０１０１】
このように構成されたカセッテＣ１２によれば、カセッテＣ１２が撮影台２上に設置された際には、バンド８２１を収容溝１６に収容される第２の位置に付け替えることができる。バンド８２１を第２の位置に付け替えることにより、筐体１０の裏面１０ｂと撮影台２との間にバンド８２１が挟まれることはなく、カセッテＣ１２は撮影台２上で安定する。そこで、バンド８２１は、厚みを無視し得るような薄手で可撓なものに限られず、比較的厚手なものを用いることができる。それにより、手持ち部８２０を支持する支持手のサポートを、より確実なものとすることができる。
【０１０２】
そして、バンド８２１は、一方の端部８２１ａにおいて筐体１０の裏面１０ｂに常に繋がれるので、バンド８２１の紛失を防止することができる。
【０１０３】
図２１は、上述した放射線撮影用カセッテＣ１２の変形例を示す斜視図である。尚、上述したカセッテＣ１２と共通する要素には、同一符号を付することにより、説明を省略ないし簡略する。
【０１０４】
図２１に示す変形例の放射線撮影用カセッテＣ１３は、筐体１０の裏面１０ｂにおいてカセッテＣ１３の重心Ｇに重なる位置に、手持ち部９２０が設けられている。手持ち部９２０は、筐体１０の裏面１０ｂに取り付けられるサポート部材としてのバンド９２１を有している。
【０１０５】
図２１（Ａ）に示すように、バンド９２１は、その中央部９２１ａと一方の端部９２１ｂとの間の部位が、カセッテＣ１３の重心Ｇを所定の方向に跨ぐように裏面１０ｂ上に配設され、その中央部９２１ａ及び端部９２１ｂを裏面１０ｂに接合されている。そして、バンド９２１の中央部９２１ａと一方の端部９２１ｂとの間の部位と筐体１０の裏面１０ｂとの間には、裏面１０ｂに沿って支持手が挿し込まれる挿入空間が画成されている。
【０１０６】
バンド９２１の中央部９２１ａ及び一方の端部９２１ｂは、スナップボタン等の留め具８２２により裏面１０ｂに着脱可能に接合されている。バンド９２１が上記のとおりカセッテＣ１３の重心Ｇを所定の方向に跨ぐように裏面１０ｂ上に配設された際に、この中央部９２１ａ及び端部９２１ｂが配置される裏面１０ｂの部位には、留め具８２２を着脱可能に係止する第１の係止部８２３ａがそれぞれ設けられている。尚、第１の係止部８２３ａの配設箇所に対応した裏面１０ｂの部位には、これらの第１の係止部８２３ａを収容する凹部１４がそれぞれ設けられている。
【０１０７】
バンド９２１の他方の端部９２１ｃは、筐体１０の一の側面１０ｄまで延び、ハトメ等の締結具１２２の頭部１２２ａと側面１０ｄとの間で挟まれて、この側面１０ｄに接合されている。この端部９２１ｃと締結具１２２の頭部１２２ａ又は側面１０ｄとの間には僅かな隙間が置かれており、この端部９２１ｃは、締結具１２２を中心に回動可能である。
【０１０８】
筐体１０の側面１０ｄには、適宜な位置に、バンド９２１の中央部９２１ａ又は一方の端部９２１ｂの留め具８２２を着脱可能に係止する第２の係止部８２３ｂが設けられている。
【０１０９】
図２１（Ａ）は、中央部９２１ａ及び一方の端部９２１ｂの留め具８２２をそれぞれ第１の係止部８２３ａに係止され、筐体１０の裏面１０ｂとの間に挿入空間を画成する第１の位置にバンド９２１がある状態を示す。
【０１１０】
図２１（Ｂ）は、同図（Ａ）に示す状態から、両留め具８２２と第１の係止部８２３ａとの係合がそれぞれ解除され、バンド９２１が、締結具１２２を中心に回動されて筐体１０の側面１０ｄに添えつけられた状態を示す。側面１０ｄに添えつけられたバンド９２１は、この側面１０ｄに設けられた第２の係止部８２３ｂに中央部９２１ａまたは一方の端部９２１ｂの留め具８２２を係止されて側面１０ｄに保持される。即ち、バンド９２１は、上記の挿入空間を画成する第１の位置から、筐体１０の裏面１０ｂよりも入射面１０ａ側に寄った第２の位置に付け替えられる。
【０１１１】
このように構成されたカセッテＣ１３によれば、カセッテＣ１３が撮影台２上に設置された際には、バンド９２１を筐体１０の側面１０ｄに添う第２の位置に付け替えることができる。バンド９２１を第２の位置に付け替えることにより、筐体１０の裏面１０ｂと撮影台２との間にバンド９２１が挟まれることはなく、カセッテＣ１３は撮影台２上で安定する。そこで、バンド９２１は、厚みを無視し得るような薄手で可撓なものに限られず、比較的厚手なものを用いることができる。それにより、手持ち部９２０を支持する支持手のサポートを、より確実なものとすることができる。
【０１１２】
そして、バンド９２１は、一方の端部９２１ｃにおいて筐体１０の側面１０ｄに常に繋がれるので、バンド９２１の紛失を防止することができる。
【０１１３】
図２２は、上述した放射線撮影用カセッテＣ７の変形例を示す斜視図であり、図２３は、図２２におけるXXIII−XXIII線断面図である。尚、上述したカセッテＣ７と共通する要素には、同一符号を付することにより、説明を省略ないし簡略する。
【０１１４】
図２２及び図２３に示す変形例の放射線撮影用カセッテＣ１４は、筐体１０の裏面１０ｂにおいてカセッテＣ１４の重心Ｇに重なる位置に、手持ち部１０２０が設けられている。この手持ち部１０２０は、回転盤１０２４を介して裏面１０ｂに取り付けられたサポート部材としての薄手で可撓なバンド１０２１を有している。
【０１１５】
回転盤１０２４は、平面視において略円形状に成形されており、その中心Ｃが、カセッテＣ１４の重心Ｇに重なるよう配置される。回転盤１０２４が配置される筐体１０の裏面１０ｂには、回転盤１０２４よりも若干大径な略円形状に成形された収容凹部１０ｅが設けられており、回転盤１０２４はこの収容凹部１０に配置されている。収容凹部１０ｅに配置された回転盤１０２４の表面１０２４ｂは、裏面１０ｂと同一平面にあり、筐体１０の裏面１０ｂの一部を構成している。そして、回転盤１０２４は、その中心Ｃにリベット等の締結具１０２２を挿通され、この締結具１０２２を中心に回動可能に、筐体１０に接合されている。
【０１１６】
バンド１０２１は、回転盤１０２４の中心Ｃ、つまりはカセッテＣ１４の重心Ｇを所定の方向に跨ぐように回転盤１０２４上に配設され、その両端部を回転盤１０２４に接合されている。そして、バンド１０２１と回転盤１０２４との間には、裏面１０ｂに沿って支持手が挿し込まれる挿入空間が画成されている。
【０１１７】
このように構成されたカセッテＣ１４によれば、上記の挿入空間への支持手の挿入方向は、バンド１０２１に対しては、このバンド１０２１の長手方向と略直交する方向の１つであるが、筐体１０に対しては、回転盤１０２４を回転させることによりその挿入方向を種々に変更することができる。そして、筐体１０に対して上記の挿入空間への支持手の挿入方向を種々変更できれば、上述のカセッテＣ６と同様に、カセッテＣ１４を設置する際に、撮影対象部位に応じてカセッテＣ１４の姿勢を種々に変えて、カセッテＣ１４を支持することができる。それにより、カセッテＣ１４の設置が容易となる。
【０１１８】
尚、手持ち部１０２０を支持した際に、不用意に回転盤１０２４が回転しないよう、適宜なロック機構を設けることが好ましい。
【０１１９】
以上説明したように、本明細書に開示された放射線画像撮影用カセッテは、放射線を検出する検出媒体と、該検出媒体を収納する扁平な筐体と、を備える放射線画像撮影用カセッテであって、放射線が入射する前記筐体の入射面とは反対側の該筐体の裏面には、手持ち部が設けられており、前記手持ち部は、該カセッテの重心に重なる位置にある。
【０１２０】
上記の放射線画像撮影用カセッテによれば、手持ち部が放射線画像撮影用カセッテの重心に重なる位置にあり、支持手に作用するモーメント荷重を排除ないし軽減することができ、支持手にかかる負荷を軽減することができる。それにより、放射線画像撮影用カセッテの設置を容易とすることができる。かかる効果は、比較的重量の嵩む電子カセッテやリニアックグラフィ用のカセッテに特に有用である。
【０１２１】
また、本明細書に開示された放射線画像撮影用カセッテは、放射線を検出する検出媒体と、該検出媒体を収納する扁平な筐体と、を備える放射線画像撮影用カセッテであって、放射線が入射する前記筐体の入射面とは反対側の該筐体の裏面には、手持ち部が設けられており、前記手持ち部は、前記検出媒体の検出領域の中心に重なる位置にある。
【０１２２】
上記の放射線画像撮影用カセッテによれば、手持ち部が検出媒体の検出領域の中心に重なる位置にあり、支持手に作用するモーメント荷重を軽減することができ、支持手にかかる負荷を軽減することができる。それにより、放射線画像撮影用カセッテの設置を容易とすることができる。かかる効果は、比較的重量の嵩む電子カセッテやリニアックグラフィ用のカセッテに特に有用である。さらに、手持ち部が検出媒体の検出領域の中心に重なる位置にあれば、被検体の観察対象部位の中心と検出領域の中心とを感覚的に合わせ易くなる。それにより、放射線画像撮影用カセッテを適切に設置することができる。
【０１２３】
また、本明細書に開示された放射線画像撮影用カセッテは、前記手持ち部は、前記筐体の前記裏面に取り付けられるサポート部材を有し、前記サポート部材は、前記筐体の前記裏面との間に、前記手持ち部を支持する支持手が該裏面に沿って挿し込まれる挿入空間を画成する。手持ち部を支持する支持手は、サポート部材と筐体の裏面との間の挿入空間に挿し込まれ、サポート部材によってサポートされる。それにより、設置の際に、カセッテが滑り落ちることを防止することができる。
【０１２４】
また、本明細書に開示された放射線画像撮影用カセッテは、前記サポート部材は、シートであり、前記挿入空間への支持手の挿入方向に交差する前記シートの縁部が、前記筐体の前記裏面とは非接合である。
【０１２５】
また、本明細書に開示された放射線画像撮影用カセッテは、前記サポート部材は、少なくとも１つのバンドを含み、前記各バンドは、前記挿入空間への支持手の挿入方向に交差している。
【０１２６】
また、本明細書に開示された放射線画像撮影用カセッテは、前記挿入空間への支持手の挿入方向が複数ある。挿入空間への支持手の挿入方向が複数あることにより、放射線画像撮影用カセッテを設置する際に、撮影対象部位に応じてカセッテの姿勢を種々に変えて、カセッテを支持することができる。それにより、カセッテの設置を容易とすることができる。
【０１２７】
また、本明細書に開示された放射線画像撮影用カセッテは、前記検出媒体の検出領域は、長方形状であり、前記挿入空間への支持手の挿入方向は、前記検出媒体の検出領域の長辺と平行な第１の方向と、該検出領域の短辺と平行な第２の方向と、を少なくとも含む。カセッテの姿勢は、典型的には、被検体の軸に対して検出領域の長辺又は短辺のいずれかが平行とされるので、上記の挿入空間への支持手の挿入方向に、検出領域の長辺と平行な方向、及び検出領域の短辺と平行な方向を含むことで、カセッテの設置を、より容易とすることができる。
【０１２８】
また、本明細書に開示された放射線画像撮影用カセッテは、前記検出媒体の検出領域の中心と、該カセッテの重心とが、前記挿入空間への支持手のいずれか一の挿入方向に並んでいる。検出領域の中心とカセッテの重心とが並ぶ方向に支持手を上記の挿入空間に挿し込んでカセッテを支持した際には、手持ち部が重なる検出領域又はカセッテの重心のいずれかを支持手の掌で、そして、他方を支持手の腕で支持することができる。それにより、カセッテを、より安定して支持することができ、その設置が容易となる。
【０１２９】
また、本明細書に開示された放射線画像撮影用カセッテは、前記サポート部材は、前記筐体の前記裏面に形成された凹部内に設けられている。サポート部材が裏面における凹部内に収容されているので、カセッテが撮影台上に設置された際に、サポート部材が撮影台に当接して筐体の裏面が撮影台から浮くことはなく、カセッテが撮影台上で安定する。
【０１３０】
また、本明細書に開示された放射線画像撮影用カセッテは、前記サポート部材は、前記筐体の前記裏面に対して着脱される。カセッテが撮影台上に設置された際には、サポート部材を筐体の裏面より取り外すことができる。サポート部材が取り外されることで、筐体の裏面と撮影台との間にサポート部材が挟まれることはなく、カセッテが撮影台上で安定する。
【０１３１】
また、本明細書に開示された放射線画像撮影用カセッテは、前記筐体の前記裏面から前記サポート部材よりも突出している複数の支持脚を有する。カセッテが撮影台上に設置された際には、カセッテは、支持脚で撮影台に接触し、サポート部材は、筐体の裏面と撮影台との間に収納されるので、カセッテが撮影台上で安定する。
【０１３２】
また、本明細書に開示された放射線画像撮影用カセッテは、前記サポート部材が、前記挿入空間を画成する第１の位置から前記筐体の前記裏面よりも前記入射面側に寄った第２の位置に付け替え可能である。カセッテが撮影台上に設置された際には、サポート部材を第２の位置に付け替えることができる。サポート部材を第２の位置に付け替えることにより、筐体の裏面と撮影台との間にサポート部材が挟まれることはなく、カセッテが撮影台上で安定する
【０１３３】
また、本明細書に開示された放射線画像撮影用カセッテは、前記サポート部材は、前記筐体に対し、前記手持ち部を通り前記筐体の前記裏面に垂直な軸を中心にして回転可能である。筐体に対してサポート部材を回転させることにより、サポート部材と筐体の裏面との間の挿入空間への支持手の挿入方向を種々に変更することができる。そして、筐体に対して上記の挿入空間への支持手の挿入方向を種々変更できれば、カセッテを設置する際に、撮影対象部位に応じてカセッテの姿勢を種々に変えて、カセッテを支持することができる。それにより、カセッテの設置が容易となる。
【図面の簡単な説明】
【０１３４】
【図１】本発明の好適な実施形態の一例を説明するための、放射線画像撮影装置の概略構成を示す模式図である。
【図２】図１に示す放射線画像撮影用カセッテの斜視図である。
【図３】図１に示す放射線画像撮影用カセッテの斜視図である。
【図４】図１に示す放射線画像撮影用カセッテの設置の仕方を説明する模式図である。
【図５】図１に示す放射線画像撮影用カセッテの変形例の斜視図である。
【図６】図１に示す放射線画像撮影用カセッテの他の変形例の斜視図である。
【図７】図６に示す放射線画像撮影用カセッテの変形例の斜視図である。
【図８】図７におけるVIII−VIII線断面図である。
【図９】図７に示す放射線画像撮影用カセッテの変形例の斜視図である。
【図１０】図６に示す放射線画像撮影用カセッテの他の変形例の斜視図である。
【図１１】図１０に示す放射線画像撮影用カセッテの設置の仕方を説明する模式図である。
【図１２】図１０に示す放射線画像撮影用カセッテ及びこれを支持する支持手の関係を説明する裏面図である。
【図１３】図１に示す放射線画像撮影用カセッテの他の変形例の斜視図である。
【図１４】図１３に示す放射線画像撮影用カセッテの変形例の斜視図である。
【図１５】図１３に示す放射線画像撮影用カセッテの他の変形例の斜視図である。
【図１６】図１５におけるXVI−XVI線断面図である。
【図１７】図１３に示す放射線画像撮影用カセッテの他の変形例の斜視図である。
【図１８】図１３に示す放射線画像撮影用カセッテの他の変形例の斜視図である。
【図１９】図１８に示す放射線画像撮影用カセッテの側面図である。
【図２０】図１３に示す放射線画像撮影用カセッテの他の変形例の斜視図である。
【図２１】図２０に示す放射線画像撮影用カセッテの変形例の斜視図である。
【図２２】図１３に示す放射線画像撮影用カセッテの他の変形例の斜視図である。
【図２３】図２２におけるXXIII−XXIII線断面図である。
【符号の説明】
【０１３５】
１  放射線画像撮影装置
２  撮影台
３  放射線源
４  放射線画像表示装置
Ｃ１  放射線画像撮影用カセッテ
１０  筐体
１０ａ  筐体の入射面
１０ｂ  筐体の裏面
１０ｃ  筐体の裏面の凹部
１１  半導体センサ（検出媒体）
１２  回路基板
１３  バッテリ
２０  手持ち部
Ａ  検出領域
Ｇ  重心
ＡＣ  検出領域の中心
Ｗ  カセッテの重量
Ｍ  モーメント荷重
【図１】
2010152133.tif 000003
【図２】
2010152133.tif 000004
【図３】
2010152133.tif 000005
【図４】
2010152133.tif 000006
【図５】
2010152133.tif 000007
【図６】
2010152133.tif 000008
【図７】
2010152133.tif 000009
【図８】
2010152133.tif 000010
【図９】
2010152133.tif 000011
【図１０】
2010152133.tif 000012
【図１１】
2010152133.tif 000013
【図１２】
2010152133.tif 000014
【図１３】
2010152133.tif 000015
【図１４】
2010152133.tif 000016
【図１５】
2010152133.tif 000017
【図１６】
2010152133.tif 000018
【図１７】
2010152133.tif 000019
【図１８】
2010152133.tif 000020
【図１９】
2010152133.tif 000021
【図２０】
2010152133.tif 000022
【図２１】
2010152133.tif 000023
【図２２】
2010152133.tif 000024
【図２３】
2010152133.tif 000025